(57)【要約】【課題】ドア枠の改装を簡単な工事で短時間にできるドアとする。【解決手段】建物躯体１に取り付けた捨て枠２の上横枠材２０、縦枠材２１に、ドア枠３の上枠３０、縦枠３１を連結具で着脱自在に取り付け、前記捨て枠２の下横枠材２２を土間５に埋設して取り付け、前記ドア枠３の下枠３２を前記下横枠材２２の上部に着脱自在に取り付けたドアで、前記各連結具を取り外すことで土間５を破壊せずに上枠３０、縦枠３１、下枠３２を取り外しでき、既設のドア枠３を簡単に取り外して新設のドア枠を簡単に取り付けできるから、ドア枠の改装を簡単な工事で短時間にできる。【選択図】図２
2011047106.tif 000002
【特許請求の範囲】
【請求項１】
建物躯体に、捨て枠の上横枠材と左右の縦枠材を取り付け、この捨て枠の下横枠材の一部を土間に埋設して取り付け、
ドア枠の上枠、縦枠を前記上横枠材、縦枠材に連結具で固着して着脱自在に取り付け、このドア枠の下枠を前記下横枠材の上部に、前記土間に埋設しないように着脱自在に取り付けたことを特徴とするドア。
【請求項２】
前記土間の上面と下枠の上面がほぼ同一高さで、
前記下枠の室内側端部、室外側端部が下横枠材よりも室内外側方向に突出しないと共に、土間と離隔し、
この下枠の室内側端部と土間の間、室外側端部と土間との間にシール材をそれぞれ設けた請求項１記載のドア。
【請求項３】
前記下横枠材の上面と下枠の下面との間に空間部を形成し、
前記下枠に錠受を、位置調整可能で、前記空間部に突出するように着脱自在に取り付けた請求項１又は２記載のドア。
【請求項４】
前記下横枠材の上面における室外側寄りに、室内側に向けて開口した支持凹部を有し、
前記下枠の下部における室外側寄りに支持突片を有し、
この支持突片を前記支持凹部に係合して下枠の室外側部を下横枠材に上下揺動可能に取り付けした請求項１〜３いずれか１項記載のドア。
【請求項５】
前記下横枠材の上面に、室外側に開口した一対の取付凹部を室内外側方向に離隔して有し、
前記下枠の下部に、室内側に向かう一対の取付片を室内外側方向に離隔して有し、
この一対の取付片を前記一対の取付凹部に嵌合して下枠を下横枠材に室内外側方向に移動可能に取り付けた請求項１〜３いずれか１項記載のドア。
【請求項６】
前記下横枠材に係合受部を設け、前記下枠には、この係合受部に係合・離脱可能な係合部を設け、
前記下枠を前記下横枠材に押しつけることで、前記係合部が係合受部に係合し、その下枠を下横枠材に着脱自在に取り付けた請求項１〜３いずれか１項記載のドア。
【請求項７】
前記下枠を下横枠材に連結具で固着し、その連結具を、下枠に装着した下横水密材、又は下枠に装着したくつずりで覆って見えないようにした請求項１〜６いずれか１項記載のドア。
【請求項８】
前記下枠を下横枠材に連結具で固着し、その連結具を、前記下枠と土間との間に設けたシール材で覆って見えないようにした請求項２記載のドア。
【発明の詳細な説明】
【技術分野】
【０００１】
本発明は、建物躯体の開口部に設置するドアに関する。
【背景技術】
【０００２】
従来、ドアとしては、ドア枠にドア本体を開閉自在に装着したものが知られている。
このドアは、ドア枠を建物躯体の開口部に取り付けることで設置している。
例えば、特許文献１に開示したように、建物躯体の開口部に基枠を固定し、その基枠にドア枠（付設枠）をネジ止めして取り付けている。
【先行技術文献】
【特許文献】
【０００３】
【特許文献１】特開２００８−１０６４７１号公報
【発明の概要】
【発明が解決しようとする課題】
【０００４】
前述した従来のドアの基枠は、上枠材と縦枠材を下向きコ字状に接合すると共に、下端に下枠を接合した形状で、その上枠材、縦枠材が建物躯体の開口部内面にアンカーで固定されると共に、その開口部内面と上枠材、縦枠材との間にコンクリートを充填して取り付け、下枠を土間（コンクリート）に埋設してある。
前述した従来のドアのドア枠（付設枠）は、上枠（上枠材）と縦枠（縦枠材）で下端を開口したコ字状枠で、その上枠、縦枠を基枠の上枠材、縦枠材にネジ止めして取り付けると共に、下端を下枠を接合するようにして取り付けている。
このようであるから、ドアを建物躯体の開口部に設置した状態で、ネジを弛めることで既設のドア枠を基枠から取り外し、新設のドア枠を基枠にネジ止めして取り付けることが可能で、ドア枠を改装することができる。
【０００５】
しかしながら、前述した従来のドアにおいては、ドア枠を改装する際に、ドア枠の下枠は建物躯体（土間）に取り付けたままの状態で、下枠を新しい下枠に交換するためには、土間のコンクリートの破壊工事などの大掛かりな工事が必要である。
すなわち、前述した従来のドアにおいては、下枠がアンカーで固定されていると共に、下枠の上面が露出するようにコンクリートに埋設されているので、その下枠を取り外しするには、下枠の周囲のコンクリートを破壊（ハツリ）すると共に、アンカーと分離しなければならない。そして、下枠を取り外した後に新しい下枠を設け、アンカーで固定すると共に、コンクリートを充填することで新しい下枠を取り付けることになる。
このために、下枠を新しい下枠と交換するためには大掛かりな工事が必要で、ドア枠の改装が大掛かりな工事で、長い時間がかかる。
【０００６】
本発明の目的は、上枠と縦枠と下枠を含む既設のドア枠を建物躯体から容易に取り外しできると共に、新設のドア枠を建物躯体に容易に取り付けでき、ドア枠の改装を簡単な工事で、短時間にできるようにしたドアとすることである。
【課題を解決するための手段】
【０００７】
本発明は、建物躯体に、捨て枠の上横枠材と左右の縦枠材を取り付け、この捨て枠の下横枠材の一部を土間に埋設して取り付け、
ドア枠の上枠、縦枠を前記上横枠材、縦枠材に連結具で固着して着脱自在に取り付け、このドア枠の下枠を前記下横枠材の上部に、前記土間に埋設しないように着脱自在に取り付けたことを特徴とするドアである。
【０００８】
本発明においては、前記土間の上面と下枠の上面がほぼ同一高さで、
前記下枠の室内側端部、室外側端部が下横枠材よりも室内外側方向に突出しないと共に、土間と離隔し、
この下枠の室内側端部と土間の間、室外側端部と土間との間にシール材をそれぞれ設けることができる。
このようにすれば、土間の上面と下枠の上面がスムーズに連続する。
しかも、シール材を取り外すことで土間を破壊せずに下枠を取り外しできる。
【０００９】
本発明においては、前記下横枠材の上面と下枠の下面との間に空間部を形成し、
前記下枠に錠受を、位置調整可能で、前記空間部に突出するように着脱自在に取り付けることができる。
このようにすれば、錠受が土間に埋設することがないので、ドア枠を取り付けた状態で錠受を、位置調節したり、交換することができる。
【００１０】
本発明においては、前記下横枠材の上面における室外側寄りに、室内側に向けて開口した支持凹部を有し、
前記下枠の下部における室外側寄りに支持突片を有し、
この支持突片を前記支持凹部に係合して下枠の室外側部を下横枠材に上下揺動可能に取り付けることができる。
このようにすれば、下枠の室内側部を持ち上げて上方に揺動することで下枠を下横枠材から取り外しできる。
【００１１】
本発明においては、前記下横枠材の上面に、室外側に開口した一対の取付凹部を室内外側方向に離隔して有し、
前記下枠の下部に、室内側に向かう一対の取付片を室内外側方向に離隔して有し、
この一対の取付片を前記一対の取付凹部に嵌合して下枠を下横枠材に室内外側方向に移動可能に取り付けることができる。
このようにすれば、下枠を室外側に移動して取付片を取付凹部から抜き出すことで、下枠を取り外しできる。
【００１２】
本発明においては、前記下横枠材に係合受部を設け、前記下枠には、この係合受部に係合・離脱可能な係合部を設け、
前記下枠を前記下横枠材に押しつけることで、前記係合部が係合受部に係合し、その下枠を下横枠材に着脱自在に取り付けることができる。
このようにすれば、下枠を下横枠材に簡単に取り付け、取り外しできる。
【００１３】
本発明においては、前記下枠を下横枠材に連結具で固着し、その連結具を、下枠に装着した下横水密材、又は下枠に装着したくつずりで覆って見えないようにできる。
このようにすれば、連結具が見えないので、下枠の見栄えが良い。
【００１４】
本発明においては、前記下枠を下横枠材に連結具で固着し、その連結具を、前記下枠と土間との間に設けたシール材で覆って見えないようにできる。
このようにすれば、連結具が見えないので、下枠の見栄えが良い。
【発明の効果】
【００１５】
本発明によれば、連結具を取り外すことで上横枠材、縦枠材から上枠、縦枠を取り外しできると共に、土間を破壊などせずに下横枠材から下枠を取り外しできる。
したがって、上枠と縦枠と下枠を含む既設のドア枠を建物躯体から容易に取り外しできると共に、新設のドア枠を建物躯体に容易に取り付けでき、ドア枠の改装を簡単な工事で短時間にできる。
【図面の簡単な説明】
【００１６】
【図１】本発明の実施の形態を示すドアの外観図である。
【図２】図１のＡ−Ａ拡大断面図である。
【図３】図１のＢ−Ｂ拡大断面図である。
【図４】下枠の異なる取り付けを示す断面図である。
【図５】さらに下枠の異なる取り付けを示す断面図である。
【図６】建物躯体が鉄骨の場合の縦断面図である。
【図７】建物躯体が鉄骨の場合の横断面図である。
【発明を実施するための形態】
【００１７】
図１に示すように、建物躯体１に捨て枠２を取り付け、この捨て枠２にドア枠３を連結具、例えば連結ネジ４で固着して取り付けてある。連結具としては釘、鋲、リベットなどを使用しても良い。
前記捨て枠２は、上横枠材２０と左右の縦枠材２１，２１と下横枠材２２を備え、その上横枠材２０と左右の縦枠材２１，２１が連結されて下向きコ字形状としてある。
前記上横枠材２０、縦枠材２１が建物躯体１に固着して取り付けられる。
前記下横枠材２２の一部は土間５に埋設されている。
また、下横枠材２２と上横枠材２０をそれぞれ左右の縦枠材２１，２１と方形状に連結しても良い。
【００１８】
前記ドア枠３は、上枠３０と左右の縦枠３１，３１と下枠３２を方形状に連結してある。
そして、上枠３０を上横枠材２０に連結ネジ４で固着し、縦枠３１を縦枠材２１に連結ネジ４で固着することで、上横枠材２０、縦枠材２１が室外側から見えないように上枠３０、縦枠３１で覆っていると共に、その各連結ネジ４を弛めて取り外すことで上枠３０、縦枠３１を取り外し可能としてある。
前記下枠３２は、土間５に埋設された下横枠材２２の上部に着脱自在に取り付けてある。図１では連結具、例えば連結ネジ（図示せず）で固着して取り付け、下横枠材２２は土間５に埋設されずに、その連結ネジを弛めて取り外すことで取り外しできる。
【００１９】
このようであるから、各連結ビス４を弛めて取り外すことで、上枠３０、縦枠３１、下枠３２を上横枠材２０、縦枠材２１、下横枠材２２からそれぞれ取り外しでき、下枠３２の周囲全ての土間５を破壊する必要がなく、その下枠３２を容易に取り外しできる。
したがって、上枠３０、縦枠３１、下枠３２を含む既設のドア枠３を捨て枠２から容易に取り外すことができると共に、新設のドア枠３を捨て枠２に容易に取り付けできる。
よって、ドア枠３の改装を簡単な工事で、短時間にできる。
【００２０】
図１においては縦枠３１の下部が土間５に埋設されているので、その縦枠３１の下部周囲の土間５を破壊する必要があるが、その作業は簡単である。なお、縦枠３１の下部を土間５に埋設しないようにしても良い。
【００２１】
図１に示す実施の形態においては、建物躯体１の室外側部に外壁材６が取り付けてあり、この外壁材６の開口部６ａから上枠３０、縦枠３１が室外側に突出している。
そして、外壁材６の開口部６ａと上枠３０、縦枠３１との間にシール材７、例えば湿式のコーキング材や乾式のガスケット材などを設けて前述の連結ネジ４が見えないようにしている。
前記ドア枠３にはドア本体８が開閉自在に取り付けてある。
【００２２】
次に、各部の具体例を図２、図３に基づいて説明する。なお、図１は概略的に図示してあり、図２、図３に示す具体形状と異なることがある。
前記建物躯体１は、上横材１０と左右の縦材１１で下向きコ字形状の開口部１２を有している。
前記捨て枠２の上横枠材２０、縦枠材２１は、面外方向に向かう一側片２０ａ，２１ａと面内方向に向かう他側片２０ｂ，２１ｂとで鉤形状の長尺材で、縦枠材２１の一側片２１ａに上横枠材２０の一側片２０ａの長手方向端面を当接し、ビス等で連結してある。
前記上横枠材２０の一側片２０ａが上横材１０の下面（開口部１２の上内面）に固着具２３で固着されていると共に、他側片２０ｂが上横材１０の室外側面（開口部１２の室外側上面）に固着具２３で固着して取り付けてある。
前記縦枠材２１の一側片２１ａが縦材１１の内側面（開口部１２の縦内面）に固着具２３で固着されていると共に、他側片２１ｂが縦材１１の室外側面（開口部１２の室外側上面）に固着具２３で固着して取り付けてある。
このようであるから、捨て枠２の上横枠材２０、縦枠材２１を建物躯体１の開口部１２における上部と左右の縦部に沿ってしっかりと取り付けできる。
【００２３】
前記建物躯体１の室外側面、つまり上横材１０、縦材１１の室外側面には防水シート９がそれぞれ設けてある。
この防水シート９は上横枠材２０の他側片２０ｂにおける固着具２３で固着している部分、縦枠材２１の他側片２１ｂにおける固着具２３で固着している部分を覆い、かつ上枠３０の上端部、縦枠３１の側端部に接し、その固着具２３による固着部分から雨水等が上横枠材２０、縦枠材２１に侵入しないようにしてある。
しかも、連結ビス４を弛めて取り外すことで上枠３０、縦枠３１を取り外したときに、前述の防水シート９は建物躯体１に設けたままの状態であるから、ドア枠３を交換する際に防水シート９を交換する必要がない。
【００２４】
前記上枠３０は、前記上横枠材２０の一側片２０ａ、他側片２０ｂに連結ネジ４で着脱自在に取り付けてある。
前記縦枠３１は、前記縦枠材２１の一側片２１ａ、他側片２１ｂに連結ネジ４で着脱自在に取り付けてある。
前記上枠３０、縦枠３１における連結ビス４で固着している部分と上横枠材２０の他側片２０ｂ、縦枠材２１の他側片２１ｂとの間はシール材４ａでシールしてある。
前記各他側片２０ｂ，２１ｂを固着する連結ネジ４は、外壁材６の開口部６ａと上枠３０、縦枠３１の面外方向外側面３０ａ，３１ａとの間から、室外側より室内側に向けて螺合され、シール材７によって室外側から見えないようにしてあると共に、そのシール材７を取り外すことで室外側から連結ネジ４を締め付け、弛めできるようにしてある。なお、この連結ネジ４を弛めても他の連結ネジ４で固着されているので、上枠３０、縦枠３１を取り外しできないから、防犯上好ましい。
前述の上枠３０、縦枠３１は、室内側金属部材３０ｂ，３１ｂと室外側金属部材３０ｃ，３１ｃを断熱材３０ｄ，３１ｄで連結した断熱形材としてある。
【００２５】
前記土間５は、基礎５ａの上部にコンクリート層又はモルタル層５ｂを設け、その上面にタイル材５ｃを張設してある。
そして、土間５の室外側上面５ｄよりも室内側上面５ｅが高くしてある。
前記捨て枠２の下横枠材２２は、上面板２２ａと下面板２２ｂと室内側縦板２２ｃと室外側縦板２２ｄを有した矩形中空断面形状の長尺材で、その下面板２２ｂをアンカー２４で固定し、土間５（コンクリート層又はモルタル層５ｂ）に埋設され、その上面板２２ａが土間５（コンクリート層又はモルタル層５ｂ）に埋設されないようにしてある。
【００２６】
前記下枠３２は、下横枠材２２の上面板２２ａに接し、連結ネジ４で固着してある。
この連結ネジ４の頭部は見えないようにしてある。
例えば、下枠３２に装着した下横水密材３３を連結ネジ４の頭部に接して見えないようにしてある。この下横水密材３３は下枠３２に着脱自在に装着してあり、連結ネジ４を弛め、締め付ける場合には下枠３２から取り外しする。
前記下枠３２の室内側端部３２ａ、室外側端部３２ｂは、下横枠材２２の上面板２２ａ（つまり、上面）の室内外側端部から室内外側方向に突出しないように、その上面板２２ａに取り付けてある。
これによって、土間５が下枠３２の室内外側端部３２ａ，３２ｂに接触しないので、土間５の室内外側部分を破壊せずに、前述の連結ビス４を弛めて取り外すことで下枠３２を下横枠材２２から取り外しできる。
【００２７】
前記下枠３２の上面は土間５の上面とほぼ同一高さで、かつ下枠３２の室内側端部３２ａ、室外側端部３２ｂは土間５と離れ、その間にシール材３４がそれぞれ設けてある。
これによって、土間５の上面と下枠３２の上面が滑らかに連続するようにしてある。
この実施の形態では、土間５の室外側上面５ｄよりも室内側上面５ｅが高いので、下枠３２の上面は、室外側上面よりも室内側上面が高い段差を有した形状としてある。
前記下枠３２の室内側にくつずり３５を装着し、そのくつずり３５の上面が下枠３２の室内側上面としてある。
【００２８】
前記連結ネジ４の頭部が見えないようにするには、前述のくつずり３５又はシール材３４で覆って見えないようにしても良い。
例えば、図２に１点鎖線で示すように前述の連結ネジ４を、下枠３２におけるくつずり３５を装着した部分から下横枠材２２の上面板２２ａに螺合し、その連結ネジ４の頭部をくつずり３５で覆って見えなくする。
または、図２に２点鎖線で示すように、下枠３２の室内側取付横片３２ｃから連結ネジ４を下横枠材２２の室内側横片２２ｅに螺合し、その連結ネジ４の頭部をシール材３４で覆って見えなくする。
【００２９】
前記下横枠材２２の上面板２２ａと下枠３２の下面との間には空間部３６がある。例えば、下横枠材２２の上面板２２ａに凹陥部２５を形成し、この凹陥部２５と下枠３２の下面との間に空間部３６を形成してある。
前記下枠３２には錠受、例えばフランス落し受４０が、その下枠３２の下面よりも下方に突出し、かつ位置調節可能に設けられ、ネジ４１で固着して着脱自在に取り付けてあり、このフランス落し受４０は前記空間部３６内に位置して下横枠材２２の上面板２２ａと干渉しないようにしてある。
【００３０】
例えば、下枠３２に取付用孔３７を形成し、フランス落し受４０を取付用孔３７に挿入してフランジ４２を下枠３２の上面に接し、そのフランジ４２をネジ４１で下枠３２に固着してある。
そして、前記ネジ４１を弛めることでフランス落し受４０を取付用孔３７に沿って移動することで位置調節できるようにしてあると共に、取付用孔３７から抜き出すことで新しいフランス落し受４０と交換できるようにしてある。
【００３１】
このようであるから、フランス落し受４０が土間５（コンクリート層又はモルタル層５ｂ）に埋まることがなく、ドア枠３を取り付けた状態でフランス落し受４０の位置を調節できると共に、フランス落し受４０を交換することができる。
【００３２】
前記下枠３２の取り付け、取り外しを詳細に説明する。
前記下横枠材２２の上面板２２ａの室外側寄りに、室内側に向けて鉤形になった支持受け片２６を設けて室内側に向けて開口した支持凹部２７を形成する。下枠３２の室外側寄り下部に室外側に向かう支持突片３８を設け、この支持突片３８を前記支持凹部２７に係合して下枠３２を上下方向に揺動可能に取り付ける。
このようにすれば、下枠３２の室内側寄りを工具などを用いて持ち上げて上方に揺動することで下枠３２を取り外しできる。
【００３３】
前記下枠３２を下横枠材２２に室内外側方向にスライドすることで取り付け、取り外しできるようにしても良い。
図４に示すように、下横枠材２２の上面板２２ａに、室外側に向けて開口した一対の取付凹部２８を室内外側方向に離隔して形成する。例えば、上面板２２ａの凹陥部２５の室内寄りと室外寄りに取付凹部２８をそれぞれ形成する。
前記下枠３２の下部には、室内側に向かう一対の取付片３９を室内外側方向に離隔して形成し、下枠３２を室内側に向けて移動することで一対の取付片３９を一対の取付凹部２８にそれぞれ嵌合して取り付ける。
前記下枠３２を取り外すときには、連結ネジ４を弛めて取り外し、下枠３２を室外側に向けて移動することで、一対の取付片３９を一対の取付凹部２８からそれぞれ抜き出して取り外しする。
【００３４】
図４に示す下枠３２は、室内側金属部材３２ｄと室外側金属部材３２ｅを断熱材３２ｆで連結した断熱形材で、室外側金属部材３２ｅの室内側寄りを連結ネジ４で下横枠材２２に固着してある。
このようにすることで、下枠３２の室内側部と室外側部とに亘って熱が伝わり難くなるから、その下枠３２の室外側部の熱が室内側金属部材３２ｄを介して縦枠３１の室内側金属部材３１ｂに伝わることがなく、断熱性が向上する。
【００３５】
前述の各実施の形態では、下枠３２を下横枠材２２に連結ビス４で固着して上方及び室内外側方向に動かないように取り付けしたが、連結ビスを用いずに下枠３２を下横枠材２２に上方及び室内外側方向に動かないように係合して取り付けても良い。
例えば、図５に示すように、下横枠材２２の上面板２２ａ（上面）に一対の係合受部５０を設け、下枠３２には一対の係合部５１を設ける。
そして、下枠３２を下横枠材２２に向けて押し下げることで、一対の係合部５１が一対の係合受部５０に係合し、下枠３２が上方及び室内外側方向に動かないように下横枠材２２に取り付ける。
【００３６】
具体的には、下横枠材２２の上面板２２ａに、第１係合受片５２と第２係合受片５３を室内外側方向に離隔して上向きに設ける。
前記第１係合受片５２が室外寄りで、この第１係合受片５２の室外側面５２ａは上下方向にくの字形状で、その下部に室外側に向かう係合凹部５２ｂを有している。
前記第２係合受片５３が室内寄りで、この第２係合受片５３の室内側面５３ａは上下方向に逆くの字形状で、その下部に室内側に向かう係合凹部５３ｂを有している。
前記下枠３２の室外側下部には第一係合片５４が室内側に向けて設けてあり、この第１係合片５４が下横枠材２２の上面板２２ａに接すると共に、その室内側先端部５４ａが前記係合凹部５２ｂに係合するようにしてある。
前記下枠３２の室内側下部には第２係合片５５が室外側に向けて設けてあり、この第２係合片５５が下横枠材２２の上面板２２ａに接すると共に、その室外側先端部５５ａが前記係合凹部５３ｂに係合するようにしてある。
【００３７】
このようであるから、第１係合片５４の室内側先端部５４ａを第１係合受片５２の室外側面５２ａに接すると共に、第２係合片５５の室外側先端部５５ａを第２係合受片５３の室内側面５３ａに接する。
この状態で下枠３２を押し下げると、第１・第２係合受片５２，５３、第１・第２係合片５４，５５が弾性変形し、第１・第２係合片５４，５５の室内側先端部５４ａ、室外側先端部５５ａが第１・第２係合受片５２，５３の係合凹部５２ｂ，５３ｂにそれぞれ係合すると共に、第１・第２係合片５４，５５が下横枠材２２の上面板２２ａに接する。
これによって、下枠３２は下横枠材２２に上下方向及び室内外側方向に動かないようにスナップ式に取り付けられる。
【００３８】
前記下枠３２を取り外しする場合には、下枠３２を強い力で上に引張り、第１・第２係合片５４，５５の室内側先端部５４ａ、室外側先端部５５ａを第１・第２係合受片５２，５３の係合凹部５２ｂ，５３ｂから外すことで、下枠３２を下横枠材２２から取り外しできる。
【００３９】
前述の実施の形態は建物躯体１が木造の場合であり、建物躯体１が鉄骨の場合には、図６、図７に示すようになる。
建物躯体１である鉄骨１３に捨て枠２の上横枠材２０をアンカー１４で固着して取り付ける。
この上横枠材２０は、縦片２０ｃと上横片２０ｄと下横片２０ｅで横向きコ字形状で、その上横片２０ｄの取り付け片２０ｆに上枠３０の室外側部（室外側金属部材３０ｃ）を連結ネジ４で固着して取り付ける。
前記下横片２０ｅに上枠３０の室内側部（室内側金属部材３０ｂ）を断熱性を有したスペーサ３０ｅを介して接し、連結ネジ４で固着して取り付ける。
【００４０】
前記縦枠３１の室外側部（室外側金属部材３１ｃ）が縦枠材２１に連結ネジ４で固着して取り付けてある。
この縦枠材２１は、鉄骨１５に溶接したアンカー１６に固着して取り付けられる。
【００４１】
前記下横枠材２２はアンカー２４にボルト・ナット２９で固着して取り付けてある。
前記下枠３２は下横枠材２２に前述の図２に示すと同様に取り付けてある。
この場合には、土間５が基礎５ａとコンクリート層又はモルタル層５ｂで構成され、そのコンクリート層又はモルタル層５ｂの上面が土間５の上面である。
【符号の説明】
【００４２】
１…建物躯体、２…捨て枠、３…ドア枠、４…連結具（連結ネジ）、５…土間、６…外装材、７…シール材、２０…上横枠材、２１…縦枠材、２２…下横枠材、２３…固着具、２７…支持凹部、２８…取付凹部、３０…上枠、３１…縦枠、３２…下枠、３３…下横水密材、３４…シール材、３５…くつずり、３６…空間部、３８…支持突片、３９…取付片、４０…フランス落し受、４１…ネジ、４２…フランジ。
【図１】
2011047106.tif 000003
【図２】
2011047106.tif 000004
【図３】
2011047106.tif 000005
【図４】
2011047106.tif 000006
【図５】
2011047106.tif 000007
【図６】
2011047106.tif 000008
【図７】
2011047106.tif 000009